(57)【要約】      （修正有）【課題】各ユーザの嗜好性に合ったコンテンツを効率的に保存する放送受信装置および操作機器を提供する。【解決手段】操作端末は、放送されるコンテンツを記憶部に記憶させる制御部と、外部機器と通信可能な通信部と、外部機器からの指示情報に付加された識別情報と、指示情報に基づいて再生したコンテンツの属性情報とを関連付けた第１リストと、複数の第１リストに含まれる属性情報をまとめた第２リストとを管理する管理部と、を備える。制御部は、第２リストに基づいてコンテンツを記憶させる。【選択図】図６
2017092848.tif 000002
【特許請求の範囲】
【請求項１】
放送されるコンテンツを記憶部に記憶させる制御部と、
外部機器と通信可能な通信部と、
前記外部機器からの指示情報に付加された識別情報と、前記指示情報に基づいて再生したコンテンツの属性情報とを関連付けた第１リストと、複数の前記第１リストに含まれる属性情報をまとめた第２リストとを管理する管理部と、を備え、
前記制御部は、前記第２リストに基づいてコンテンツを記憶させることを特徴とする放送受信装置。
【請求項２】
前記管理部は、前記外部機器からの通信で取得した単語情報を、前記第１リストにおける前記属性情報に追加することを特徴とする請求項１に記載の放送受信装置。
【請求項３】
前記管理部は、前記単語情報をコンテンツの属性情報を表す所定の単語に変換したものを前記第１リストにおける前記属性情報に追加することを特徴とする請求項２に記載の放送受信装置。
【請求項４】
前記管理部は、前記第１リストへ、前記属性情報毎のコンテンツの再生回数と最新の再生日時とを記録し、当該再生回数が所定期間以上更新されない属性情報を当該第１リストから削除することを特徴とする請求項１〜請求項３のいずれかに記載の放送受信装置。
【請求項５】
前記管理部は、前記属性情報毎のコンテンツの再生回数と最新の再生日時とを記録した前記第２リストを生成し、
前記制御部は、第２リストに記録された前記再生回数及び又は前記再生日時に基づいてコンテンツを記憶させることを特徴とする請求項１〜請求項４のいずれかに記載の放送受信装置。
【請求項６】
前記記憶されたコンテンツの中から前記属性情報が前記第１リストの前記属性情報と一致するコンテンツのタイトルを抽出し、当該タイトルを所定の表示部に一覧表示させる表示制御部を、さらに備えることを特徴とする請求項１〜請求項５のいずれかに記載の放送受信装置。
【請求項７】
前記コンテンツの属性情報には、少なくともコンテンツのジャンルを含むことを特徴とする請求項１〜請求項６のいずれかに記載の放送受信装置。
【請求項８】
外部機器と通信可能な通信部と、
前記外部機器を遠隔操作する制御部と、
前記外部機器からの通信で取得した識別情報を記憶する記憶部と、を備え、
前記制御部は、前記識別情報の中の特定の識別情報を付加した指示情報を前記外部機器に送信することを特徴とする操作機器。
【発明の詳細な説明】
【技術分野】
【０００１】
本発明は、放送受信装置および操作機器に関する。
【背景技術】
【０００２】
デジタル放送を受信可能な放送受信装置は、放送されるコンテンツを受信して記憶媒体へ蓄積し、後のユーザからの視聴リクエストに応じて、当該蓄積したコンテンツの中から当該ユーザが所望するコンテンツを再生することが可能である。つまり、ユーザにコンテンツのタイムシフト視聴を実現させる。
【０００３】
なお、利用者の指紋データが認証データベースに登録されていると判定される場合、利用者の指紋データに対応して利用者の個人識別番号と共に利用者の嗜好データが登録されているため、指紋データに対応した個人識別番号をキーとしてユーザ嗜好データベースを参照して当該利用者の嗜好リストを取得し、コンテンツデータベースから嗜好リストのコンテンツ群を取得して、取得したコンテンツのリストを表示すると共にコンテンツを再生する個人識別ユーザインターフェース装置が知られている（特許文献１参照）。
【先行技術文献】
【特許文献】
【０００４】
【特許文献１】特開２００７‐２３３７６９号公報
【発明の概要】
【発明が解決しようとする課題】
【０００５】
上述したような放送受信装置は、家族等の複数のユーザによって使用され得る。この場合、ユーザ毎に視聴したいコンテンツの好みが異なるため、数あるコンテンツの中からどのようなコンテンツを受信し保存すべきかは、各ユーザにとって重要な問題であった。また、多数のコンテンツが蓄積されている場合に、個々のユーザは、自分が視聴したいコンテンツをこれら多数のコンテンツの中から探す手間を要していた。
【０００６】
本発明は上述の課題に鑑みてなされたものであり、コンテンツを記憶する際等に、各ユーザの利便性、快適性の向上に資する放送受信装置および操作機器を提供する。
【課題を解決するための手段】
【０００７】
本発明の態様の一つは、放送されるコンテンツを記憶部に記憶させる制御部と、外部機器と通信可能な通信部と、前記外部機器からの指示情報に付加された識別情報と、前記指示情報に基づいて再生したコンテンツの属性情報とを関連付けた第１リストと、複数の前記第１リストに含まれる属性情報をまとめた第２リストとを管理する管理部と、を備え、前記制御部は、前記第２リストに基づいてコンテンツを記憶させる。
本態様によれば、識別情報毎の第１リストが生成され、このような第１リストをまとめた第２リストに基づいて、記憶媒体へのコンテンツの記憶が実行される。つまり、複数の識別情報がそれぞれ示す各ユーザの嗜好性を総合的に勘案した最適なコンテンツの選択（記憶すべきコンテンツの選択）が実行され、記憶されたコンテンツを視聴したい各ユーザの利便性、快適性が向上する。なお、前記コンテンツの属性情報には、少なくともコンテンツのジャンルを含むとしてもよい。
【０００８】
本発明の実施形態として、前記管理部は、前記外部機器からの通信で取得した単語情報を、前記第１リストにおける前記属性情報に追加するとしてもよい。
当該構成によれば、識別情報が示すユーザ毎の嗜好性をより適切に反映させた第１リストが生成される。
【０００９】
本発明の実施形態として、前記管理部は、前記単語情報をコンテンツの属性情報を表す所定の単語に変換したものを前記第１リストにおける前記属性情報に追加するとしてもよい。
当該構成によれば、単語情報が、前記属性情報として相応しい単語へ自動的に変換されて第１リストへ追加される。
【００１０】
本発明の実施形態として、前記管理部は、前記第１リストへ、前記属性情報毎のコンテンツの再生回数と最新の再生日時とを記録し、当該再生回数が所定期間以上更新されない属性情報を当該第１リストから削除するとしてもよい。
当該構成によれば、残しておく価値が低い属性情報を削除して、第１リストを適切な状態に保つことができる。
【００１１】
本発明の実施形態として、前記管理部は、前記属性情報毎のコンテンツの再生回数と最新の再生日時とを記録した前記第２リストを生成し、前記制御部は、第２リストに記録された前記再生回数及び又は前記再生日時に基づいてコンテンツを記憶させるとしてもよい。
当該構成によれば、複数のユーザの嗜好性を総合的に勘案してコンテンツを記憶させることができる。
【００１２】
本発明の実施形態として、放送受信装置は、前記記憶されたコンテンツの中から前記属性情報が前記第１リストの前記属性情報と一致するコンテンツのタイトルを抽出し、当該タイトルを所定の表示部に一覧表示させる表示制御部をさらに備えるとしてもよい。
当該構成によれば、ユーザは、個人の嗜好性に応じたコンテンツの一覧を容易に閲覧することができる。
【００１３】
本発明の技術的思想は、放送受信装置という物以外の態様によって実現されてもよい。放送受信装置の各部が実行する各工程を含む方法（コンテンツ保存方法）を、一つの発明として捉えることができる。また、このような方法を、ハードウェア（放送受信装置等）に実行させるためのプログラムや、当該プログラムを記憶したコンピュータ読取可能な記憶媒体を、それぞれ発明として捉えることができる。
【００１４】
また本発明は、外部機器と通信可能な通信部と、前記外部機器を遠隔操作する制御部と、前記外部機器からの通信で取得した識別情報を記憶する記憶部と、を備え、前記制御部は、前記識別情報の中の特定の識別情報を付加した指示情報を前記外部機器に送信する操作機器の構成を提示する。
当該構成によれば、操作機器は、遠隔操作の対象とする外部機器（放送受信装置）へ、当該外部機器が認識しているいずれかの識別情報を付加した通信を実行することができる。これにより、外部機器の側では、自身が知るユーザ（識別情報）のうち、どのユーザ（識別情報）による指示であるかを確実に認識することができる。
【図面の簡単な説明】
【００１５】
【図１】装置の概略構成を例示するブロック図。
【図２】ユーザ登録処理を例示するフローチャート。
【図３】個人嗜好リストの管理方法を例示するフローチャート。
【図４】個人嗜好リストを例示する図。
【図５】個人嗜好リストの管理方法の他の例を示すフローチャート。
【図６】共通嗜好リストを例示する図。
【図７】コンテンツの一覧表示制御処理を例示するフローチャート。
【発明を実施するための形態】
【００１６】
以下、図面を参照しながら本発明の実施形態を更に説明する。
１．装置の概略的構成：
図１は、実施形態にかかる放送受信装置１１の概略を例示するブロック図である。放送受信装置１１を、デジタルテレビジョンと称してもよい。図１に示すように、放送受信装置１１は、アンテナ１２で受信したデジタル放送信号を、入力端子１３を介してチューナ部１４に供給することにより、ユーザ所望のチャンネルの放送信号（番組等のコンテンツを放送するための放送信号）を選局して受信する。
【００１７】
放送受信装置１１は、チューナ部１４に選局させた放送信号を、復調部１５に供給して復調し、デスクランブラ部１６で必要に応じて暗号を復号した後、分離（Ｄｅｍｕｘ）部１７に出力する。分離（Ｄｅｍｕｘ）部１７は、デスクランブラ部１６から出力された放送信号を種別ごとに分離し、分離された映像信号及び音声信号（コンテンツを構成する映像信号及び音声信号）を映像／音声デコーダ１８に出力する。映像／音声デコーダ１８は、分離された映像信号及び音声信号を復号し、映像信号を合成処理部１９に出力し、音声信号を音声処理部２０に出力する。合成処理部１９は、映像／音声デコーダ１８から供給される映像信号に、ＯＳＤ（On Screen Display）により他の画像を重畳して出力することができる。
【００１８】
放送受信装置１１は、合成処理部１９から出力した映像信号を、映像処理部２２に供給する。映像処理部２２は、入力された映像信号を、例えば液晶パネル等を有する映像表示部２３で表示可能なフォーマットのアナログ映像信号に変換している。放送受信装置１１は、映像処理部２２から出力されたアナログ映像信号を、映像表示部２３に供給して映像表示に供する。音声処理部２０は、入力された音声信号を、スピーカ２４で再生可能なフォーマットのアナログ音声信号に変換している。そして、この音声処理部２０から出力されたアナログ音声信号が、スピーカ２４に供給されることにより音声再生に供される。
【００１９】
放送受信装置１１は、上記した受信動作を含むその全ての動作を統括的に制御する制御部３０を備える。制御部３０では、ＣＰＵが、ＲＯＭ等に格納された制御プログラムを、ＲＡＭ等をワークエリアとして用いて実行することにより、放送受信装置１１の動作を制御する。さらに、放送受信装置１１は、コンテンツを保存するための記憶部３１を備える。記憶部３１は、例えば、ハードディスクドライブ（ＨＤＤ）等の記憶媒体により構成される。制御部３０は、チューナ部１４に選局させて受信させた放送信号に重畳されているコンテンツを記憶部３１へ録画させる、つまり当該コンテンツを構成する映像信号及び音声信号を含んだ所定のフォーマットによる動画ファイルを記憶部３１へ記憶させることができる。
【００２０】
制御部３０は、ユーザが操作するリモートコントローラ（以下、リモコン）からの遠隔操作のための制御信号に応じた処理を実行可能である。つまり、制御部３０は、当該制御信号に応じて、現在放送されている放送信号に重畳されているコンテンツを映像／音声デコーダ１８に出力させることにより、当該コンテンツをリアルタイム視聴の用に供し、また、記憶部３１に記憶されているコンテンツを映像／音声デコーダ１８に出力させることにより、当該コンテンツを再生する（当該コンテンツにかかる映像を映像表示部２３に表示させ、かつ、当該コンテンツにかかる音声をスピーカ２４から出力させる）ことができる。
【００２１】
このように、ユーザは、放送受信装置１１が放送を受信するコンテンツをリアルタイム視聴することも、録画しておいて後に視聴する（タイムシフト視聴する）ことも可能である。以下、本実施形態では主に、嗜好リストを利用した記憶部３１へのコンテンツの記憶（録画）、及び、記憶されたコンテンツの一覧表示、に関する説明を行う。また、本実施形態で記憶部３１へ録画するコンテンツは、地上波、ＢＳ、ＣＳ等の一般的なテレビ放送チャンネルで放送される番組であってもよいが、これら一般的なテレビ放送が行われない深夜や早朝等、電波帯域に空きがある時間帯に特定の事業者によって放送される番組を想定してもよい。
【００２２】
制御部３０には、ネットワークインターフェイス２８（通信部）が接続されている。ネットワークインターフェイス２８は、入出力端子を介してネットワーク２９に接続されている。ネットワーク２９は、例えば、家庭内やオフィス内に設置されたルータの下で構築されている無線ＬＡＮである。図１に示すように、ネットワーク２９には、複数の操作端末４０（操作端末４０ａ，４０ｂ，４０ｃ）が通信可能に無線接続している。操作端末４０は、外部機器を遠隔操作する操作機器の一例である。操作端末４０から見たとき、放送受信装置１１は外部機器の一例に該当し、逆に、放送受信装置１１から見たとき、操作端末４０は外部機器の一例に該当する。放送受信装置１１と複数の操作端末４０は、例えば、ＭＡＣアドレス等に基づいて、互いをネットワーク２９上のデバイスとして識別して認識することができる。操作端末４０は、ユーザが操作する端末であり、それぞれが放送受信装置１１に対するリモコンとして機能する。
【００２３】
操作端末４０は、放送受信装置１１を遠隔操作できる装置であればよく、例えば、ラップトップ型ＰＣ、タブレット型端末、スマートフォン等が想定される。このような操作端末４０は、制御部４１、通信部４２および記憶部４３を有する。通信部４２は、外部機器と通信可能なインターフェイスである。制御部４１では、ＣＰＵが、ＲＯＭ等に格納されたプログラムを、ＲＡＭ等をワークエリアとして用いて実行することにより、操作端末４０の動作を制御する。制御部４１には、放送受信装置１１を遠隔操作するための専用のプログラム（アプリケーションＡＰ）が搭載されており、操作端末４０は、当該アプリケーションＡＰを起動させた状況下で、ユーザの任意の操作に応じて、通信部４２およびネットワーク２９を通じて放送受信装置１１を遠隔操作する。放送受信装置１１や操作端末４０は、ネットワーク２９を介してさらに外のネットワーク（インターネット）へも接続可能である。つまり、放送受信装置１１や操作端末４０は、インターネット上の情報をブラウジングする機能も有している。なお、操作端末４０と放送受信装置１１との間の無線通信を実現する手段は、無線ＬＡＮに限定されず、Bluetooth（ブルートゥース（登録商標））、ZigBee、赤外線通信等、様々な通信規格を採用可能である。
【００２４】
２．ユーザ登録処理：
図２は、本実施形態にかかるシステム（放送受信装置１１と一台以上の操作端末４０とを含むシステム）におけるユーザ登録処理の例を、フローチャートにより示している。なお図２では、説明を簡単にするため、放送受信装置１１側の処理と操作端末４０側の処理の両方を記載している。
【００２５】
制御部３０は、前記システムに参加する複数のユーザの登録を受け付ける（ステップＳ１００）。具体的には、ユーザが、放送受信装置１１に対する直接の操作あるいはリモコンを用いての操作により、放送受信装置１１をユーザ登録モードにした上で、ユーザ（ユーザ名）を入力する。制御部３０は、ユーザ名の入力を受け付け、所定の記憶媒体へ登録する。これにより登録したユーザの名簿（ユーザ名簿）が生成される。ここでは一例として、ユーザＡ，Ｂ，Ｃ，Ｄという４名のユーザ名を登録したユーザ名簿が生成されたとして説明を行う。
【００２６】
ユーザ名は、本発明における識別情報の一例である。つまり、ユーザ名は、ユーザを識別するための情報である。ユーザ名は、ユーザの実際の名前以外にも、愛称、略称、その他、ユーザに対応付けたユニークな文字列であればよい。ユーザ名を、ユーザＩＤ等と呼んでもよい。
次に、制御部３０は、ネットワーク２９を介して認識できるリモコン（図１に例示した複数の操作端末４０）へ、ステップＳ１００で生成したユーザ名簿を配信する（ステップＳ１１０）。ユーザ名簿の配信を受けた操作端末４０では、記憶部４３が当該ユーザ名簿を記憶する。
【００２７】
ユーザ名簿の配信を受けた操作端末４０の制御部４１は、ユーザ名簿に載っているユーザ名と、当該操作端末４０を操作するユーザ個人とを関連付けることにより、当該操作端末４０を操作するユーザを登録する（ステップＳ１２０）。具体的には、操作端末４０は、個人毎にユニークなパスワードの入力や、個人認証（例えば、顔認証、指紋認証、声紋認証、虹彩認証、等の生体認証）といった、個人認識の機能を有しており、操作端末４０を操作するユーザ個人を認識する。そして、ユーザの個人認識の結果と、当該ユーザが操作により前記ユーザ名簿から選択したユーザ名とを関連付けて所定の記憶媒体に記憶する。
【００２８】
例えば、ユーザＡが操作端末４０ａ（図１参照）を操作して、操作端末４０ａが有するユーザ名簿から自分のユーザ名（ユーザＡ）を選択すると、操作端末４０ａは、ユーザＡを個人認識した結果と当該選択されたユーザ名（ユーザＡ）とを関連付けて、この関連付けた結果（ユーザ登録情報）を記憶する。同様に、操作端末４０ｂは、操作端末４０ｂを操作するユーザＢのユーザ登録情報を記憶したとする。同様に、操作端末４０ｃは、操作端末４０ｃを操作するユーザＣのユーザ登録情報と、操作端末４０ｃを操作するユーザＤのユーザ登録情報と、を記憶したとする。つまり、操作端末４０は複数のユーザに共用されることもあるが、操作端末４０は、当該操作端末４０を共有するユーザ個々のユーザ登録情報を有する。
【００２９】
以後、操作端末４０は、ユーザの操作に応じて放送受信装置１１へ何らかの送信を実行する際は常に、当該ユーザを個人認識し、その個人認識の結果に関連付けてユーザ登録情報に記憶しているユーザ名を特定し、この特定したユーザ名を付加した情報を送信する。このように操作端末４０では、外部機器（方法受信装置１１）からの通信で取得した識別情報を記憶部４３が記憶し、制御部４１は、前記記憶した識別情報の中の特定の識別情報を付加した指示情報を外部装置（方法受信装置１１）に送信する。従って、操作端末４０からの送信を受けた放送受信装置１１は、受信した情報に付加されているユーザ名を参照する（当該受信した情報に付加されているユーザ名が、ユーザ名簿内のいずれかのユーザ名と一致することを確認する）ことで、どのユーザ（ユーザＡ，Ｂ，Ｃ，Ｄの誰か）からの送信であるかを特定することができる。
【００３０】
３．個人嗜好リストに関する説明：
上述したようにユーザは、リモコンつまり操作端末４０を操作することにより、放送受信装置１１に放送を選局させて所望のチャンネルのコンテンツをリアルタイム視聴したり、記憶部３１に記憶されているコンテンツを再生させて当該保存されているコンテンツを視聴（タイムシフト視聴）したりすることができる。本実施形態では、制御部３０は、いずれかの操作端末４０からコンテンツの視聴にかかる視聴指示（チャンネルの選局指示あるいは記憶されているコンテンツの再生指示）を受けた場合、当該視聴指示に付加されているユーザ名と、当該視聴指示に応じて視聴に供した（再生した）コンテンツの属性情報とを関連付けてリスト化することにより、ユーザ毎の嗜好リスト（個人嗜好リスト）を生成、管理する。個人嗜好リストは、第１リストの一例である。この意味で、制御部３０は、外部機器（操作端末４０）からの指示情報に付加された識別情報と、指示情報に基づいて再生したコンテンツの属性情報とを関連付けた第１リストを管理する管理部、としても機能すると言える。
【００３１】
図３は、制御部３０が実行する個人嗜好リストの管理方法をフローチャートにより示している。
制御部３０は、いずれかの操作端末４０からコンテンツの視聴指示が有ったか否かを、ネットワークインターフェイス２８を通じて継続的に監視し（ステップＳ２００）、コンテンツの視聴指示が有った場合に、当該視聴指示に応じて、コンテンツのリアルタイム視聴あるいはタイムシフト視聴に必要な制御処理を実行し、ユーザが所望するコンテンツを視聴させる（ステップＳ２１０）。
【００３２】
制御部３０は、前記コンテンツの視聴指示の送信を操作端末４０に指示したユーザおよび、前記コンテンツの視聴指示に応じてステップＳ２１０で視聴させることとなったコンテンツのジャンルを特定する（ステップＳ２２０）。コンテンツのジャンルは、前記属性情報の一種である。前記コンテンツの視聴指示には、その送信を操作端末４０に指示したユーザのユーザ名が付加されているため、制御部３０は、そのユーザ名を、前記コンテンツの視聴指示の送信を操作端末４０に指示したユーザとして特定する。
【００３３】
また、放送信号には、映像信号及び音声信号の他に、メディア情報や番組情報など番組関連情報（ＳＩ／ＰＳＩ）が含まれている。この番組関連情報は、分離（Ｄｅｍｕｘ）部１７より分離され、制御部３０により解釈される。このような番組関連情報（コンテンツの属性情報）には、番組つまりコンテンツのジャンル情報（例えば、ＥＩＴ（Event Information Table））が含まれている。また、コンテンツを記憶部３１へ保存する際には、保存されるコンテンツ（動画ファイル）の、例えばヘッダに、このような番組関連情報が記述される。そのため、制御部３０は、視聴指示（チャンネルの選局指示）に応じて放送信号を受信してコンテンツをそのままリアルタイム視聴させる場合でも、視聴指示（コンテンツの再生指示）に応じて特定のコンテンツを記憶部３１から読み出して再生に供する場合でも、ステップＳ２１０で視聴させることとなったコンテンツのジャンルを特定することが可能である。
【００３４】
制御部３０は、ステップＳ２２０で特定したユーザおよびジャンルの情報により、現在の個人嗜好リストを更新する（ステップＳ２３０）。
図４は、制御部３０が前記ユーザ名簿に載っているユーザ名毎に関連付けて記憶している個人嗜好リストを例示している。ここでは、一例として、ユーザＡに関連付けられた個人嗜好リストＰＬＡ、ユーザＢに関連付けられた個人嗜好リストＰＬＢ、ユーザＣに関連付けられた個人嗜好リストＰＬＣを示している。個人嗜好リストは、項目としてジャンル、回数および日時を含んでいる。ジャンルは、ユーザが前記視聴指示により放送受信装置１１において視聴したコンテンツのジャンルであり、回数は、ジャンル毎のこれまでの再生回数（視聴指示等の回数）であり、日時は、ジャンル毎の最新の再生日時（視聴指示等の日時）である。
【００３５】
制御部３０は、例えば、操作端末４０ａから送信されたコンテンツの再生指示に応じてユーザＡおよびジャンル“報道”という情報を特定したとする。この場合、制御部３０は、ステップＳ２３０において、ユーザＡの個人嗜好リストＰＬＡ内のジャンル“報道”の現在の回数に１を加算し、かつジャンル“報道”の現在の日時をステップＳ２１０でコンテンツを再生したときの日時（例えば、何年何月何日といった日付）に書き換える。このとき、ユーザＡの個人嗜好リストＰＬＡ内にジャンル“報道”が含まれていなければ、制御部３０は、個人嗜好リストＰＬＡ内のジャンルに“報道”を追加するとともに、当該追加したジャンル“報道”に対応する回数（１回）および日時を書き入れる。このような図３に示すフローチャートが、放送受信装置１１の起動中に実行されることで、ユーザそれぞれの個人嗜好リストが随時更新される。
【００３６】
上述した個人嗜好リストは、コンテンツの視聴指示に応じて生成、更新されるだけでなく、視聴指示以外のユーザの操作にも応じて更新されるとしてもよい。制御部３０は、例えば、前記視聴指示とは異なる外部機器からの通信で取得した単語を、個人嗜好リストにおけるジャンルに追加する。前記視聴指示以外のユーザの操作には、インターネット上でユーザが実行した検索等が該当する。つまり、操作端末４０は、ユーザの操作により当該操作端末４０が搭載するブラウザがインターネット上での検索を実行したとき、当該検索のためにユーザにより入力された単語を、ユーザ名とともに放送受信装置１１へ送信する。このとき、当該検索のために複数の単語を含む文節が入力された場合には、操作端末４０は、当該文節を適宜、単語に分割し、分割した単語を放送受信装置１１へ送信する。
【００３７】
図５は、制御部３０が実行する個人嗜好リストの管理方法であって、図３に示す処理と並行して実施可能な処理をフローチャートにより示している。
制御部３０は、いずれかの操作端末４０から前記視聴指示とは異なる所定のコマンドに付随した単語（文字データによる単語情報）の送信が有ったか否かを、ネットワークインターフェイス２８を通じて継続的に監視する（ステップＳ３００）。そのような単語の送信が有った場合、制御部３０は、当該送信を操作端末４０に指示したユーザ（ユーザ名）を特定する（ステップＳ３１０）。そして、制御部３０は、ステップＳ３１０で特定したユーザ名に関連付けて記憶している個人嗜好リストを、ステップＳ３００で前記送信が有ったと判断した単語により更新する（ステップＳ３２０）。
【００３８】
前記ステップＳ３１０において、制御部３０は、例えば、操作端末４０ｃからの“お笑い”という単語の送信に応じて、ユーザＣを特定したとする。この場合、制御部３０は、ステップＳ３２０において、ユーザＣの個人嗜好リストＰＬＣ内のジャンル“お笑い”の現在の回数に１を加算し、かつジャンル“お笑い”の現在の日時をステップＳ３００で前記単語の送信が有ったと判断したときの日時（例えば、何年何月何日といった日付）に書き換える。この場合も、制御部３０は、ユーザＣの個人嗜好リストＰＬＣ内にジャンル“お笑い”が含まれていなければ、個人嗜好リストＰＬＣ内のジャンルに“お笑い”を追加するとともに、当該追加したジャンル“お笑い”に対応する回数（１回）および日時を書き入れる。
【００３９】
操作端末４０を使用して検索を実行する際にユーザが入力する単語は任意である一方、個人嗜好リストに含めることが可能なコンテンツのジャンルには、ある程度制限がある。例えば、ＡＲＩＢ（社団法人電波産業会）の標準規格で定められたジャンル辞書に規定されたジャンルが、個人嗜好リスト（および後述の共通嗜好リスト）に載り得るジャンルとなる。そこで、制御部３０は、前記ステップＳ３２０では、ステップＳ３００で前記送信が有ったと判断した単語（単語情報）を、コンテンツのジャンルを表す所定の単語に変換し、当該変換後の単語により、個人嗜好リストにおけるジャンルの追加、更新を行なうとしてもよい。例えば、放送受信装置１１は、入力された単語を、その単語と最も関連性が強いと推測されるジャンルを表す単語に変換する変換エンジン（データベースおよび変換プログラム）を搭載し、当該変換エンジンを用いて前記単語の変換を実行する。
【００４０】
これにより、例えば、ユーザが検索のために操作端末４０へ入力した単語が、コメディアンの個人名であるときに、当該変換エンジンによる変換結果として、個人嗜好リストに含めることが可能なコンテンツのジャンルの一つである“お笑い”という単語へ変換される。なお、当該変換エンジンを用いた単語の変換は、操作端末４０の側で実行してもよい。操作端末４０が当該変換エンジンを用いた単語の変換を実行する場合は、当該変換後の単語が、操作端末４０から放送受信装置１１（制御部３０）へ送信される。あるいは、当該変換エンジンを保持するために必要なリソースの大きさを考慮した場合、当該変換エンジンはインターネット上のサーバに存在していてもよい。つまり、放送受信装置１１や操作端末４０は、インターネットを介して当該サーバにアクセスすることで、当該変換エンジンの機能を利用して前記単語の変換を行うとしてもよい。
【００４１】
また、制御部３０は、ユーザ毎の個人嗜好リストの内容を、定期的あるいは不定期に見直す処理を行う。例えば、制御部３０は、ある個人嗜好リストにおける前記回数が所定期間以上（例えば、半年以上）更新されないジャンルについては、そのジャンルを当該個人嗜好リストから削除する。このような削除を行うことで、個人嗜好リストの内容を、関連付けられたユーザの最近の嗜好が適切に反映された状態に保つことができる。
【００４２】
４．共通嗜好リストに関する説明：
図６は、制御部３０が生成した共通嗜好リストＩＬの一例である。制御部３０は、このような複数のユーザ名毎の個人嗜好リストをまとめたリストである共通嗜好リストを生成、管理する。共通嗜好リストは、第２リストの一例である。この意味で、制御部３０は、複数の第１リストに含まれる属性情報をまとめた第２リストを管理する管理部、としても機能すると言える。共通嗜好リストＩＬは、制御部３０が、個人嗜好リストとして図４に例示した個人嗜好リストＰＬＡ，ＰＬＢ，ＰＬＣを有する場合に生成される、それら全てをまとめたリストである。従って、共通嗜好リストも、個人嗜好リストと同様に、項目としてジャンル、回数および日時を含んでいる。
【００４３】
共通嗜好リストにおいては、異なる個人嗜好リストに載っていた同じジャンルについての情報がまとめられる。つまり、制御部３０は、コンテンツのジャンル毎に、再生回数（視聴指示等の回数）と、最新の再生日時（視聴指示等の日時）とを記録した共通嗜好リストを生成する。例えば、個人嗜好リストＰＬＡ，ＰＬＢの両方にジャンル“日本のドラマ”が存在している（図４参照）。そのため、共通嗜好リストＩＬでは、当該ジャンル“日本のドラマ”について、回数は、個人嗜好リストＰＬＡに記述されている回数（８回）と個人嗜好リストＰＬＢに記述されている回数（５回）との和（１３回）となり、日時は、個人嗜好リストＰＬＡに記述されている日時（２０１５年２月１５日）と個人嗜好リストＰＬＢに記述されている日時（２０１５年３月８日）とのうち新しい方の日時（２０１５年３月８日）となる。
【００４４】
制御部３０が、個人嗜好リストに基づいて共通嗜好リストを生成するタイミングは様々である。例えば、制御部３０は、コンテンツの放送スケジュール（番組ガイド、ＥＰＧ）を取得したタイミングで、そのときの最新の各個人嗜好リストに基づいて共通嗜好リストを生成する。コンテンツの放送スケジュールとは、例えば、現在以降の所定日数の間に各チャンネルで放送されるコンテンツのスケジュールや各コンテンツに関連する情報（ジャンル等の情報）を記述したデータであり、定期的あるいは不定期に、放送信号に重畳されて放送される。放送受信装置１１が放送信号を受信する過程で、このような放送スケジュールが分離（Ｄｅｍｕｘ）部１７より分離され、制御部３０により取得される。
【００４５】
制御部３０は、共通嗜好リストに基づいて、チューナ１４や記憶部３１の駆動を制御してコンテンツを記憶する。具体的には、制御部３０は、共通嗜好リストに記録された回数及び又は日時に基づいてジャンルの優先順位を特定する。ここでは、日時を最も優先する事項とし、その次に（必要に応じて）回数を考慮する場合を例に説明する。図６に例示した共通嗜好リストＩＬによれば、最も新しい日時（２０１５年３月８日）に対応するジャンル“小学生”、“アニメ”、“教育”、“日本のドラマ”が、最も優先されるジャンル（第１の優先ジャンルグループ）である。同様に、その次に新しい日時（２０１５年３月３日）に対応するジャンル“報道”、“政治”が第１の優先ジャンルグループの次に優先されるジャンル（第２の優先ジャンルグループ）であり、その次に新しい日時（２０１５年２月６日）に対応するジャンル“お笑い”が第２の優先ジャンルグループの次に優先されるジャンル（第３の優先ジャンルグループ）である（以下、同様の考えを繰り返し）。
【００４６】
制御部３０は、同じ優先ジャンルグループに属するジャンル間の優先順位を、回数の多さに応じて特定する。例えば、上述の第１の優先ジャンルグループ内のジャンルであれば、共通嗜好リストＩＬに記録された回数が多い順に、“小学生”（８４回）、“アニメ”（６６回）、“教育”（５８回）、“日本のドラマ”（１３回）という優先順となる。同様に、第２の優先ジャンルグループ内のジャンルであれば、共通嗜好リストＩＬに記録された回数が多い順に、“報道”（１０回）、“政治”（２回）という優先順となる（以下、同様の考えを繰り返し）。この結果、制御部３０は、共通嗜好リストに含まれている全てのジャンル間の優先順位を特定することができる。
【００４７】
このように特定した優先順位に従ってコンテンツを記憶するとは、上述のように取得した放送スケジュールに放送予定が記述されている各コンテンツのうち、優先順位が高いジャンルに該当するコンテンツを優先して記憶部３１へ記憶つまり録画するという意味である。チューナ１４の能力や記憶部３１の空き容量の観点から、放送スケジュールに放送予定が記述されている全てのチャンネルの全てのコンテンツを録画できるのであれば、このような優先順位の考えは不要である。優先順位が不要な場合は、制御部３０は、放送スケジュールに放送予定が記述されている各コンテンツのうち、共通嗜好リストに記録されたジャンルに該当するコンテンツを記憶部３１へ記憶すればよい。しかし、同時に録画できるチャンネル数には限界があり、また記憶部３１の空き容量にも制限があるという前提に立ち、本実施形態では上述のように記憶すべきコンテンツのジャンルに優先順位を設定するとしてもよい。この結果、優先順位が高いジャンルに該当するコンテンツほど、高い確率で記憶部３１へ記憶されることになる。また、これまでの説明は、放送受信装置１１によるコンテンツ記憶方法を示していると言える。
【００４８】
５．コンテンツの一覧表示：
図７は、制御部３０が実行するコンテンツの一覧表示制御処理をフローチャートにより示している。
制御部３０は、いずれかの操作端末４０から、記憶されているコンテンツの一覧表示を指示する一覧表示指示の送信が有ったか否かを、ネットワークインターフェイス２８を通じて継続的に監視する（ステップＳ４００）。一覧表示指示の送信が有った場合、制御部３０は、当該送信を操作端末４０に指示したユーザ（ユーザ名）を特定する（ステップＳ４１０）。
【００４９】
そして、制御部３０は、ステップＳ４１０で特定したユーザ名に関連付けて記憶している個人嗜好リストに基づいて、記憶部３１に保存されたコンテンツの中からコンテンツのタイトルを抽出する（ステップＳ４２０）。具体的には、ステップＳ４１０で特定したユーザ名に関連付けて記憶している個人嗜好リストに含まれているジャンルに該当するコンテンツについてのタイトルを優先的に抽出する。例えば、ステップＳ４１０において、前記一覧表示指示の送信を操作端末４０に指示したユーザがユーザＢであると特定した場合、ステップＳ４２０では、制御部３０は、記憶部３１に記憶されている多数のコンテンツのうち、個人嗜好リストＰＬＢ（図４参照）に含まれているジャンルに該当するコンテンツについてのタイトルを抽出する。
【００５０】
次に、制御部３０は、ステップＳ４２０で抽出したコンテンツのタイトルの一覧を表す画像データを生成し、当該画像データを合成処理部１９に出力することにより、当該画像データに基づく画像、つまり前記抽出したタイトルの一覧を映像表示部２３に表示させる（ステップＳ４３０）。このような処理を実行する点で、制御部３０は、記憶されたコンテンツの中から属性情報（ジャンル）が第１リストの属性情報（ジャンル）と一致するコンテンツのタイトルを抽出し、当該タイトルを所定の表示部に一覧表示させる表示制御部の少なくとも一部として機能すると言える。なお、制御部３０は、ステップＳ４２０で抽出したコンテンツのタイトル数が、映像表示部２３の画面内に一度に一覧表示できるコンテンツのタイトル数（例えば１０タイトル）より多い場合は、画面のスクロール操作により前記抽出したタイトルの全てを閲覧できるようにする。この場合、制御部３０は、スクロールされる画面のより先頭側に、優先度合（例えば、個人嗜好リスト内における日時の新しさや回数の多さから判断できる優先度合）が高いジャンルにかかるコンテンツのタイトルを優先的に配置させた画像データを生成する、としてもよい。
【００５１】
６．まとめ：
このように本実施形態によれば、操作端末４０を操作することにより放送受信装置１１を使用する各ユーザの操作（視聴指示や、視聴指示とは関係の無いインターネット上での検索操作等）を反映して、ユーザ毎のコンテンツのジャンルの嗜好性を記録した個人嗜好リストが生成される。そして、このような個人嗜好リストを複数のユーザ分まとめた共通嗜好リストに基づいて、放送受信装置１１による記憶部３１へのコンテンツの記憶が実行される。これにより、複数のユーザの嗜好性を総合的に勘案した最適なコンテンツの選択（記憶すべきコンテンツの選択）が実行され、記憶されたコンテンツを視聴したい各ユーザの利便性、快適性が総合的に向上する。
【００５２】
また本実施形態によれば、放送受信装置１１は、ユーザからコンテンツの一覧表示指示があった場合には、当該ユーザに関連付いた個人嗜好リストに基づいて、記憶部３１に記憶されたコンテンツの中からコンテンツのタイトルを抽出し、一覧表示する。これにより、ユーザは、自分以外のユーザの嗜好に合うジャンルを含めた様々なジャンルにかかるコンテンツが記憶部３１に記憶されている状況で、自分の嗜好にあったジャンルのコンテンツを的確に閲覧することができる。そのため、記憶されているコンテンツの中から視聴したいコンテンツを容易に選択することができる。
【００５３】
なお前記では、共通嗜好リストに基づいて記憶すべきコンテンツのジャンルの優先順位を特定する際、共通嗜好リストにおけるジャンル毎の日時を回数よりも優先する例を説明したが、逆に、ジャンル毎の回数を日時より優先してもよい。
【００５４】
制御部３０は、複数の個人嗜好リストをまとめて共通嗜好リストを生成する際、ユーザ毎の重みを適用してもよい。ユーザは、放送受信装置１１に対して、ユーザ間の重みを任意に設定することができる。一例として、ユーザＡ、ユーザＢ、ユーザＣの順に高い重み（重み係数）が設定されているとする。制御部３０は、当該重みに応じて、各個人嗜好リストを補正し、補正後の各個人嗜好リストに基づいて共通嗜好リストを生成する。例えば、ユーザＡに関連付けられた個人嗜好リストＰＬＡについては、ジャンル毎の回数に、ユーザＡの重み係数を乗算して補正する。同様に、ユーザＢに関連付けられた個人嗜好リストＰＬＢについては、ジャンル毎の回数にユーザＢの重み係数を乗算して補正し、ユーザＣに関連付けられた個人嗜好リストＰＬＣについては、ジャンル毎の回数にユーザＣの重み係数を乗算して補正する。また、制御部３０は、個人嗜好リストにおけるジャンル毎の日時を、関連付けられたユーザ名に設定されている前記重みが高いほど、新しい日時へ補正するとしてもよい。このような構成によれば、制御部３０が共通嗜好リストに基づいてジャンルの優先順位を特定する際に、前記重みが高いユーザが嗜好するジャンルがより優先され易くなり、前記重みを設定した意図に沿うことができる。
【００５５】
コンテンツの属性情報は、ジャンルに限られない。例えば、コンテンツのジャンルの替わりに、コンテンツに関する出演者、放送局、放送時間帯等、様々な情報を前記属性情報の例として用いることができる。
放送受信装置１１はデジタルテレビジョンに限定されない。放送受信装置１１は、コンテンツを重畳した放送信号を受信してコンテンツを保存可能な機能を有する装置によって具現化される。放送受信装置１１は、例えば、ＨＤＤレコーダ、チューナ、セットトップボックス等であってもよい。ただし、放送受信装置１１自身が、モニター（映像表示部２３）やスピーカ２４を有さない製品である場合は、放送受信装置１１は、受信したコンテンツをユーザの視聴に供するための別の装置にコンテンツのデータ（映像信号および音声信号）を出力する必要がある。例えば、操作端末４０が放送受信装置１１に保存されたコンテンツを放送受信装置１１からダウンロードすることにより、操作端末４０によりユーザが当該コンテンツを視聴することも可能である。
【符号の説明】
【００５６】
１１…放送受信装置、１４…チューナ部、２９…ネットワーク、３０…制御部、３１…記憶部、４０，４０ａ，４０ｂ，４０ｃ…操作端末、４１…制御部、ＩＬ…共通嗜好リスト、ＰＬＡ，ＰＬＢ，ＰＬＣ…個人嗜好リスト
【図１】
2017092848.tif 000003
【図２】
2017092848.tif 000004
【図３】
2017092848.tif 000005
【図４】
2017092848.tif 000006
【図５】
2017092848.tif 000007
【図６】
2017092848.tif 000008
【図７】
2017092848.tif 000009